(57)【特許請求の範囲】
【請求項１】
画像形成装置に装着され、用紙を収納する給紙装置であって、用紙搬送基準から互いに等しい距離を保って給紙方向と直交する方向に移動可能に設けられた１対のサイドフェンスを有する給紙装置において、
給紙装置トレイ内に着脱可能に設けられ、異なる用紙幅部分を有する異形用紙の幅狭部の用紙幅に応じて設定された１対のフェンス部を設けたガイド部材を有し、
前記異形用紙を収納する場合、前記ガイド部材をトレイ内に設置し、異形用紙の幅広部は前記サイドフェンスによりガイドし、異形用紙の幅狭部は前記ガイド部材によりガイドすることを特徴とする給紙装置。
【請求項２】
前記ガイド部材は、用紙搬送基準から互いに等しい距離に設けられ前記サイドフェンス内側に当接する１対のサイドフェンス当接部を有し、該１対のサイドフェンス当接部の外側面間の距離が異形用紙の幅広部の大きさに設定されていることを特徴とする、請求項１に記載の給紙装置。
【請求項３】
前記ガイド部材が給紙装置の可動底板上に設置され、前記ガイド部材は、前記１対のフェンス部の上辺部が給紙方向に水平面より下向きの角度をもって形成され、該上辺部の下向角度が前記可動底板の上昇角度以上に設定されていることを特徴とする、請求項１に記載の給紙装置。
【請求項４】
前記ガイド部材に、収納用紙形状及び用紙収納方向を示すマーク手段を設けたことを特徴とする、請求項１に記載の給紙装置。
【発明の詳細な説明】
【０００１】
【発明の属する技術分野】
本発明は、複写機、プリンタ、ファクシミリ等の画像形成装置に装着される給紙装置に関するものである。
【０００２】
【従来の技術】
複写機、プリンタ、ファクシミリ等の画像形成装置に装着され、転写紙等の記録材を収納して送り出すための給紙トレイ・カセット等の給紙装置（以下、給紙トレイという）は周知である。
【０００３】
一般的な給紙トレイにおいては、トレイ内に用紙サイズに応じて移動可能なサイドフェンス等を設け、収納した用紙を押さえる（ガイドする）ことによって、給紙時に用紙がスキューすることなく真っ直ぐに給送されるようにしている。
【０００４】
【発明が解決しようとする課題】
しかしながら、従来の給紙トレイにおいては、基本的に矩形の用紙を収納するように構成されているため、封筒用用紙（封筒として糊付け完成する前の展開された状態の用紙）など、用紙幅（用紙搬送方向に直行する方向の大きさ）に差がある異形用紙を使用した場合、トレイ内での用紙の保持が充分でなく、給紙時に用紙が曲がって給送されるという問題があった。このため、画像形成装置においては適正な画像形成が行われなくなってしまう。
【０００５】
本発明は、従来の給紙トレイにおける上述の問題を解決し、用紙幅に差がある異形用紙を使用した場合でも用紙がスキューすることのない給紙トレイを提供することを課題とする。
【０００６】
【課題を解決するための手段】
前記の課題は、本発明により、画像形成装置に装着され、用紙を収納する給紙装置であって、用紙搬送基準から互いに等しい距離を保って給紙方向と直交する方向に移動可能に設けられた１対のサイドフェンスを有する給紙装置において、給紙装置トレイ内に着脱可能に設けられ、異なる用紙幅部分を有する異形用紙の幅狭部の用紙幅に応じて設定された１対のフェンス部を設けたガイド部材を有し、前記異形用紙を収納する場合、前記ガイド部材をトレイ内に設置し、異形用紙の幅広部は前記サイドフェンスによりガイドし、異形用紙の幅狭部は前記ガイド部材によりガイドすることにより解決される。
【０００７】
また、本発明は、前記の課題を解決するため、前記ガイド部材は、用紙搬送基準から互いに等しい距離に設けられ前記サイドフェンス内側に当接する１対のサイドフェンス当接部を有し、該１対のサイドフェンス当接部の外側面間の距離が異形用紙の幅広部の大きさに設定されていることを提案する。
【０００８】
さらに、本発明は、前記の課題を解決するため、前記ガイド部材が給紙装置の可動底板上に設置され、前記ガイド部材は、前記１対のフェンス部の上辺部が給紙方向に水平面より下向きの角度をもって形成され、該上辺部の下向角度が前記可動底板の上昇角度以上に設定されていることを提案する。
【０００９】
さらに、本発明は、前記の課題を解決するため、前記ガイド部材に、収納用紙形状及び用紙収納方向を示すマーク手段を設けることを提案する。
【００１０】
【発明の実施の形態】
以下、本発明の実施の形態を図面に基づいて説明する。
図１は、本発明の一実施形態の給紙トレイを示す斜視図である。
【００１１】
この給紙トレイ１はフロントローディング・タイプの画像形成装置（図示せず）に装着されるものであり、その画像形成装置は用紙搬送基準が中央基準であり、給紙トレイ１もその基準に合わせて用紙を積載するように構成されている。ただし、本発明は、フロントローディング・タイプ以外の画像形成装置に使用される給紙装置にも適用可能であり、また、用紙搬送基準についても、片側基準の装置にも適用可能である。
【００１２】
図１に示す給紙トレイ１内には、用紙の幅方向両側を規制するための一対のサイドフェンス２ａ，ｂ、その上に載置される転写紙を給紙位置に押し上げるための底板６、異形用紙を保持するためのガイド部材２０等が設けられている。なお、図中の符号１３は底板上昇アームである。
【００１３】
図２は、サイドフェンスのスライド機構を説明するためのトレイの部分平面図である。この図に示すように、サイドフェンス２ａ，ｂには水平方向に延びた延出部分３ａ，ｂが設けられている。その延出部分３ａ，ｂの相対する面にラック４ａ，ｂが設けられている。そしてトレイの基板１１上に枢着されたピニオンギヤ５に両サイドフェンス２ａ，ｂのラック４ａ，ｂが噛み合わされている。これにより、サイドフェンス２ａ，ｂは、ギヤ５の中心から（用紙搬送基準から）互いに等しい距離を保って移動する。
【００１４】
さらに、サイドフェンスの延出部分３ａ，ｂの上に位置して底板６が設置されている。この底板６は、その上に載置される転写紙を給紙位置に押し上げるためのものであり、給紙方向（矢印Ｓ方向）の後端部を軸７ａ，ｂによりトレイ１の壁面に枢着されている。したがって、底板６は軸７ａ，ｂを支点として回動可能であり、給紙方向の先端部付近を底板上昇アーム１３（図１参照）により押し上げられることによって、底板６上に載置された転写紙の先端部を給紙位置に上昇させる。
【００１５】
また、図３に示すように、トレイの基板１１からロックリブ７が突設されている。このロックリブ７はサイドフェンス２ａ，ｂの移動方向（トレイ幅方向）に延設されており、その一端面に鋸状歯部８が設けられている。一方、ロック解除レバー９が逆Ｕ字型の板バネ１２を介してサイドフェンス２ｂに取り付けられている。ロック解除レバー９の下端部の一面には鋸状歯部１０が設けられており、この鋸状歯部１０がロックリブ７の鋸状歯部８に勘合するようになっている。ロック解除レバー９の鋸状歯部１０は、板バネ１２の付勢力によりロックリブ７の鋸状歯部８に押し付けられ、サイドフェンス２ａ，ｂの移動を規制する。そして、ロック解除レバー９の上端部を押してロック解除レバー９を矢印Ｒの如く回動させることによって、鋸状歯部８と１０の勘合が解除され、サイドフェンス２ａ，ｂは移動可能となる。
【００１６】
図４は、ガイド部材２０を示す斜視図である。この図に示すように、ガイド部材２０は、底面部２１と左右両側端部に設けられたストッパ部２２ａ，ｂ及び１対のフェンス部２３ａ，ｂから構成されている。このガイド部材２０は、トレイの底板６上にセットして用いられる（図１参照）ものであり、その底面部２１が底板６上に載置される。その際、ガイド部材２０の給紙方向の移動を規制するために、底面部２１には第１の爪部２４ａ，ｂと第２の爪部２５ａ，ｂとが設けられている。第１爪部２４ａ，ｂと第２爪部２５ａ，ｂ間の給紙方向の距離Ｌ１は、トレイ底板６の基端部の長さＬ２（図２参照）に略一致するようにされている。これにより、ガイド部材２０をトレイ底板６上にセットした際に、爪部２４ａ，ｂ及び２５ａ，ｂがトレイ底板６の基端部に引っかかり、底板６が揺動した場合でもガイド部材２０が給紙方向に移動しないよう固定される。
【００１７】
ところで、本実施形態の給紙トレイは、図４にガイド部材２０と並べて縮小して示すような展開形態の封筒用紙Ｈを収納した場合に、その用紙がズレないように保持して、封筒用紙Ｈをまっすぐに給紙できるように構成されたものである。そのため、ガイド部材２０は、ストッパ部２２ａ，ｂの外寸法（ストッパ部２２ａ，ｂの外側面と外側面の距離）Ｄが、封筒用紙を展開した場合の幅広部の大きさＤ′（封筒を縮小して同図面内に示す）と等しくされている。従って、ガイド部材２０をサイドフェンス２ａ，ｂ間でトレイ底板６上にセットした場合、サイドフェンス２ａ，ｂをストッパ部２２ａ，ｂに当接させることによって、サイドフェンス２ａ，ｂ間の距離（通紙方向と直行する方向の距離）を封筒用紙の幅広部の大きさＤ′と等しく設定することができる。
【００１８】
また、フェンス部２３ａ，ｂの内寸法（ストッパ部２２ａ，ｂの内側面と内側面の距離）ｄは、封筒用紙Ｈの幅狭部の大きさｄ′と等しくされている。従って、ガイド部材２０をサイドフェンス２ａ，ｂ間でトレイ底板６上にセットした場合、このフェンス部２３ａ，ｂによって、封筒用紙Ｈの幅狭部を保持することが可能である。
【００１９】
すなわち、ガイド部材２０をサイドフェンス２ａ，ｂ間でトレイ底板６上にセットし、サイドフェンス２ａ，ｂをストッパ部２２ａ，ｂに当接させることによって、幅広部の大きさＤ′と幅狭部の大きさｄ′とを有する展開形状の封筒用紙Ｈを、（ガイド部材２０より前方の）サイドフェンス２ａ，ｂによってその幅広部を保持し、一方、フェンス部２３ａ，ｂによって封筒用紙の幅狭部を保持することができる。つまり、２段階の異なる幅を有する封筒用紙の幅広部と幅狭部とを同時に固定的にガイドし、真っ直ぐ円滑に送り出すことができ、用紙のスキューを防止することができる。
【００２０】
ここで、ガイド部材２０のストッパ部２２ａ，ｂの外寸法が封筒用紙の幅広部の大きさと等しくされていることにより、ガイド部材２０をサイドフェンス２ａ，ｂ間にセットしてサイドフェンス２ａ，ｂをストッパ部２２ａ，ｂに当接させるだけで、サイドフェンス２ａ，ｂの間隔を封筒用紙の幅広部の大きさに容易にあわせることができ、サイドフェンスの設定を非常に容易に行うことができる。
【００２１】
そして、フェンス部２３ａ，ｂの内寸法が封筒用紙の幅狭部の大きさ等しくされており、しかも、ガイド部材２０の中央（トレイ幅方向の中央）を基準として、両側のフェンス部２３ａ，ｂまでの距離が等しく構成されている。すなわち、フェンス部２３ａ，ｂはガイド部材２０の中央（通紙基準位置でもある）からの距離が対象な位置に設けられている。これによって、ガイド部材２０をサイドフェンス２ａ，ｂ間にセットしたときに、封筒用紙の幅狭部のガイドが自動的に設定されることになる。
【００２２】
すなわち、本実施形態の給紙トレイ１では、ガイド部材２０をトレイ内にセットし、サイドフェンス２ａ，ｂをストッパ部２２ａ，ｂに当接させることにより、封筒用紙の幅広部のガイド（保持）と幅狭部のガイド（保持）とを同時に行うことができ、その上、ガイド部材２０の位置あわせ自体も非常に簡単に行うことができる。言い換えれば、ガイド部材２０をトレイ内にセットするとき、そのセットに手間がかからず、しかも、封筒用紙の幅広部と幅狭部のガイドを同時に設定することができる。
【００２３】
このように、本実施形態の給紙トレイ１によれば、２段階の用紙幅を有する形状の封筒用紙に対し、用紙の幅広部をサイドフェンス２ａ，ｂでガイドし、幅狭部をフェンス部２３ａ，ｂでガイドすることによって、異なる幅を有する用紙であっても確実に用紙を保持・ガイドして、真っ直ぐにかつ円滑に送り出すことができ、用紙のスキューを防止して確実な給紙を行うことができる。異形用紙でなく通常の矩形用紙を収納・給紙する場合は、ガイド部材２０をトレイから取り外すだけで対応することができる。すなわち、一般的な給紙トレイに対しガイド部材２０をセットするだけで簡単に異形用紙への対応が可能となり、また、ガイド部材２０を取り外すだけで簡単に通常用紙への対応が可能となる。
【００２４】
また、図５に示すように、ガイド部材２０のフェンス部２３ａ，ｂはその上辺部が水平ではなく、給紙方向手前側の高さが後方の高さよりも低く、下向きにθ１の角度を有している。一方、図６に示すように、給紙トレイ１の底板６の最大揺動角度をθ２とすると、本実施形態では、θ１≧θ２に設定されている。また、ガイド部材２０は底板６の支点７ａ，ｂ（図２参照）近傍にセットされる（図１参照）。このため、ガイド部材２０をトレイ底板６の上にセットした場合、底板６が揺動してその前端部を上昇させたときでも、ガイド部材２０のフェンス部２３ａ，ｂの上辺部がトレイ上面より突出することがなく、画像形成装置内でトレイ上方にガイド部材２０のためのスペースを確保する必要が無く、装置レイアウトに影響を与えない。
【００２５】
ところで、本実施形態の給紙トレイ１では、異なる用紙幅を有する異形用紙、例えば図４に示すような形状の封筒用用紙をトレイ内に収容する場合、図４に示すように用紙の幅広部が通紙方向の前方に位置するようにセットする必要がある。もし、逆に用紙の幅広部が通紙方向の後方に位置するようにセットした場合には、給紙時に幅広部がガイド部材２０に引っかかってしまい、給紙異常となってしまう。そこで、オペレータが用紙セット方向を間違えないように、用紙のセット方向を示すマーク２６がガイド部材２０の底面部２１に設けられている。このマーク２６は、本実施形態では刻印として設けられている。
【００２６】
オペレータがマーク２６を確認することにより、異形用紙の幅広部をどちらにしてセットすれば良いか明確となり、異形用紙のセット間違いを防いで給紙異常を未然に防止することができる。なお、マーク２６を設ける方法は、刻印以外に半抜きやしぼり等の型押し、あるいはシール・デカール等の貼付により行ってもよい。
【００２７】
以上、本発明を、フロントローディング・タイプで用紙搬送基準が中央基準の画像形成装置に使用する給紙トレイとして説明し、また、２段階の用紙幅を有する異形用紙（封筒用用紙）に対応するものとして説明したが、本発明は本実施形態に限定されるものではない。
【００２８】
給紙トレイはサイドローディング・タイプでもかまわないし、用紙搬送基準が片側基準のものでも本発明を適用可能である。また、本実施形態では２段階の用紙幅を有する異形用紙に対応するため、ガイド部材２０に１対のフェンス部２３ａ，ｂを設けていたが、３段階以上の用紙幅を有する異形用紙に対応するため、２対以上のフェンス部をガイド部材に設けても良い。例えば、３段階の用紙幅を有する異形用紙は、幅の最も広い幅広部と、幅の最も狭い幅狭部と、両者の中間の中間部とを有している。これに対応するには、用紙の幅広部はトレイのサイドフェンス２でガイドできるため、幅狭部と中間部とをガイドするための２対のフェンス部をガイド部材に設けてやれば良いことになる。この場合、それら２対のフェンス部の各フェンス部において、両側のフェンス（本実施形態に当てはめればフェンス２３ａと２３ｂに相当）は、ガイド部材の中央すなわち用紙搬送基準を中心として左右対称位置にそれぞれ設けられることは言うまでもない。また、用紙各部の通紙方向の長さに対応して、それら２対のフェンス部の通紙方向の設置位置を設定することももちろんである。
【００２９】
本発明においては、複数のガイド部材、例えば、２段階の用紙幅を有する異形用紙に対応するガイド部材と、３段階の用紙幅を有する異形用紙に対応するガイド部材とを用意しておき、必要に応じてそれらを交換してトレイ（給紙装置）にセットすることにより、容易に複数種類の異形用紙に対応することが可能である。そのような場合、用紙形状とセット方向を示す前述のマーク手段（マーク２６、図４参照）をガイド部材に設けることにより、セットすべきガイド部材の選択が容易であり、ガイド部材セット時のセット方向を間違えることもない。もちろん、用紙収納時に用紙セット方向を間違えることもない。
【００３０】
なお、本実施形態では、ガイド部材２０をトレイ底板６の上にセットするものとして説明したが、トレイ底板６の上ではなくトレイの基板１１上にセットするようにしても良い。その場合、ガイド部材２０が上昇されることはないので、ガイド部材の上辺部を斜めにする（図５の角度θ１を設ける）必要はない。
【００３１】
最後に、本実施形態の給紙トレイ１が装着される画像形成装置の給紙機構について説明しておく。
図７は、給紙トレイ１が装着される画像形成装置の給紙機構を概略的に示す断面構成図である。この図ではトレイ１のガイド部材２０は省略されている。トレイ１の底板６上にセットされた用紙（図示せず）は、後述するトレイ上昇機構により底板６が上昇させられることにより給紙位置に押し上げられ、呼出コロ３７により呼び出される。次いで、給紙コロ３５と逆転コロ３６により１枚に分離され、グリップ搬送ローラ３４及び中間搬送ローラ３３等を介してレジストローラ対３２へと搬送される。そして、感光体ドラム３１上に形成された画像とタイミングをとってレジストローラ対３２により転写位置へと送り出される。
【００３２】
図８は、図７に示す給紙機構の給紙・分離ユニットの構成を示す斜視図である。
このユニットは、呼出コロ３７，給紙コロ３５及び逆転コロ３６よりなるＦＲＰ方式で、ユニット内にグリップ搬送ローラ３４を収めている。呼出コロ３７にはペーパーエンドフィラー３８が付設される。そして、グリップ搬送ローラ３４に近接してペーパエンド検知３９及び上昇検知４０のセンサが設けられている。なお、逆転コロ３６の奥にはトルクリミッタがあり、パウダータイプを採用している。さらに、使用給紙部段のみにリバース圧がかかるよう、リバース加圧ソレノイド４１を設けている。呼出コロ３７は、ピックアップソレノイド４２により用紙に当接される。
【００３３】
図９は、給紙・分離ユニットの給紙動作を説明する分解斜視図である。
リバース加圧ソレノイド４１がＯＮし、逆転コロ３６が給紙コロ３５に当接する。次にピックアップソレノイド４２がＯＮし、呼出コロ３７が用紙に当接する。呼出コロ３７が用紙に当接された状態を図１０に示す。その後、給紙クラッチ４４及び縦搬送クラッチ４３がＯＮし、給紙コロ３５及び呼出コロ３７が回転して用紙を給送する。給紙後、ピックアップソレノイド４２はＯＦＦし、呼出コロ３７を持ち上げて、用紙の負荷を軽減している。
【００３４】
図１１は、給紙・分離ユニットの逆転コロ解除機構を示す斜視図である。
逆転コロ３６は、通常時給紙コロ３５から離間しており、給紙時のみリバース加圧ソレノイド４１によって加圧されて給紙コロ３５に当接する。これにより、次の利点を得ている。▲１▼駆動負荷トルク低減とコロの摩耗低減。▲２▼トレイ引き出し時の用紙泣き別れ防止。▲３▼ジャム紙除去性の向上。
【００３５】
図１２は、可動底板６を上昇させる上昇機構を示す斜視図である。
トレイ奥側にある上昇モータ４５の回転により、カップリング４６が底板上昇アーム軸上のピン４７と噛み合い、底板上昇アーム１３が回動する。それにより、底板６が上昇する。
【００３６】
図１３は、トレイ内にセットされた用紙の上昇を検知する上昇検知機構を示す斜視図である。
トレイが画像形成装置本体にセットされると一旦ピックアップソレノイド４２がＯＮし、呼出コロ３７が降りる。この状態で底板６が上昇すると、用紙上面により呼出コロ３７が持ち上げられ、遮蔽板４８が上昇検知４０から開放（ＯＮ）され、上昇モータ４５がＯＦＦする。また、コピー中用紙上面が下がることで、上昇検知４０が遮蔽（ＯＦＦ）されると再び上昇モータ４５がＯＮし、用紙を上昇させる。
【００３７】
図１４は、可動底板を下降させる下降機構を示す斜視図である。
上昇モータ４５のカップリングと噛み合っているピン４７は、給紙トレイを装置手前方向に引き抜くことにより噛み合いが解除され、底板６は自重で落下する。
【００３８】
図１５は、ペーパーエンド検知機構を示す斜視図である。
給紙ユニットにはペーパーエンド検知用のフィラー３８があり、遮蔽板４９とフォトインタラプタ（ペーパーエンド検知）３９で検知機構を構成する。トレイ底板６のフィラー３８当接部は欠き穴になっており、用紙があればフィラー３８を用紙が押している。用紙がなくなるとフィラー３８が落ち込み、フォトインタラプタ３９が遮蔽されてペーパーエンド検知となる。
【００３９】
【発明の効果】
以上説明したように、本発明の給紙装置によれば、異なる用紙幅を有する形状の異形用紙に対し、用紙の異なる用紙幅の部分をサイドフェンス及びガイド部材によりガイドすることができるので、異なる幅を有する用紙であっても確実に用紙を保持・ガイドして、真っ直ぐにかつ円滑に送り出すことができ、用紙のスキューを防止して確実な給紙を行うことができる。また、給紙トレイにガイド部材をセットするだけで簡単に異形用紙への対応が可能となり、また、ガイド部材を取り外すだけで簡単に通常用紙への対応が可能となる。
【００４０】
請求項２の構成により、ガイド部材をトレイ内にセットしてサイドフェンスで挟むだけで異形用紙の幅広部のガイド（保持）を設定でき、しかも同時に異形用紙の幅狭部のガイド（保持）をも同時に設定することができる。その上、ガイド部材セット時の位置あわせ自体も非常に簡単に行うことができる。
【００４１】
請求項３の構成により、ガイド部材のフェンス部はその上辺部が給紙方向に下向きの角度を有しており、その角度が可動底板の最大揺動角度以上に設定されているため、ガイド部材をトレイ底板の上にセットした場合、底板が揺動してその前端部を上昇させたときでも、ガイド部材のフェンス部の上辺部がトレイ上面より突出することがなく、画像形成装置内でトレイ上方にガイド部材のためのスペースを確保する必要が無く、装置レイアウトに影響を与えない。
【００４２】
請求項４の構成により、異形用紙の形状及び収納方向を示すマーク手段をガイド部材に設けることにより、収納する用紙形状にあったガイド部材の選択が容易であり、ガイド部材のセット方向を間違えることも無い。また、異形用紙を収納する場合もそのセット方向を間違えることがない。
【図面の簡単な説明】
【図１】本発明の一実施形態の給紙トレイを示す斜視図である。
【図２】サイドフェンスのスライド機構を説明するためのトレイの部分平面図である。
【図３】サイドフェンスのロック解除レバーを示す正面図である。
【図４】ガイド部材の構成を示す斜視図である。
【図５】ガイド部材のフェンス部の構成を示す正面図である。
【図６】給紙トレイの底板の最大揺動角度を説明する正面図である。
【図７】本実施形態の給紙トレイが装着される画像形成装置の給紙機構を概略的に示す断面構成図である。
【図８】その給紙機構の給紙・分離ユニットの構成を示す斜視図である。
【図９】その給紙・分離ユニットの給紙動作を説明する分解斜視図である。
【図１０】その給紙・分離ユニットにおける呼出コロが用紙に当接された状態を示す斜視図である。
【図１１】その給紙・分離ユニットの逆転コロ解除機構を示す斜視図である。
【図１２】給紙トレイの可動底板を上昇させる上昇機構を示す斜視図である。
【図１３】トレイ内にセットされた用紙の上昇を検知する上昇検知機構を示す斜視図である。
【図１４】給紙トレイの可動底板を下降させる下降機構を示す斜視図である。
【図１５】ペーパーエンド検知機構を示す斜視図である。
【符号の説明】
１          給紙トレイ
２ａ，ｂ    サイドフェンス
４ａ，ｂ    ラック
５          ピニオンギヤ
６          可動底板
７          ロックリブ
９          ロック解除レバー
１１        トレイ基板
２０        ガイド部材
２２ａ，ｂ  ストッパ部
２３ａ，ｂ  フェンス部
２６        マーク手段
【図１】
0003559696.tif 000002
【図２】
0003559696.tif 000003
【図３】
0003559696.tif 000004
【図４】
0003559696.tif 000005
【図５】
0003559696.tif 000006
【図６】
0003559696.tif 000007
【図７】
0003559696.tif 000008
【図８】
0003559696.tif 000009
【図９】
0003559696.tif 000010
【図１０】
0003559696.tif 000011
【図１１】
0003559696.tif 000012
【図１２】
0003559696.tif 000013
【図１３】
0003559696.tif 000014
【図１４】
0003559696.tif 000015
【図１５】
0003559696.tif 000016